(57)【要約】【課題】  トナーとキャリアを含む現像剤を回転する現像剤担持体の外周面に保持させて像担持体に導く途中において、規制部材により搬送される現像剤の量を規制するにあたり、比較的少ない量の現像剤を長期にわたって安定して搬送できるようにすると共に、現像剤に大きな負荷が加わるのを抑制する。【解決手段】  回転する現像剤担持体21の外周面にトナーとキャリアを含む現像剤Dを保持させて像担持体10と対向する位置に搬送させる途中に、搬送される現像剤の量を規制する規制部材26を設けた現像装置20において、外周面が粗面化され且つ外周面に複数の溝21aが形成された現像剤担持体を用いると共に、規制部材よりも現像剤担持体の回転方向上流側の位置に、現像剤担持体によって規制部材の位置に搬送される現像剤の量を規制する事前規制部27を設けた。【選択図】  図１
2013057835.tif 000002
【特許請求の範囲】
【請求項１】
複数の磁極を有するマグネット部材が内周側に設けられた現像剤担持体の外周面にトナーとキャリアを含む現像剤を保持させ、この現像剤担持体を回転させて、現像剤担持体の外周面に保持された現像剤を像担持体と対向する位置に搬送させる途中に、この現像剤担持体によって像担持体と対向する位置に搬送される現像剤の量を規制する規制部材が設けられてなる現像装置において、上記の現像剤担持体として、その外周面が粗面化されると共に外周面に複数の溝が形成された現像剤担持体を用いると共に、上記の規制部材よりも現像剤担持体の回転方向上流側の位置に、現像剤担持体によって規制部材の位置に搬送される現像剤の量を規制する事前規制部を設けたことを特徴とする現像装置。
【請求項２】
請求項１に記載の現像装置において、上記の事前規制部を、規制部材が対向するマグネット部材の磁極の位置よりも現像剤担持体の回転方向上流側の離れた位置において、現像剤担持体の外周面との間隔が規制部材よりも大きくなるようにして設けたことを特徴とする現像装置。
【請求項３】
請求項１又は請求項２に記載の現像装置において、上記の事前規制部と規制部材との間に現像剤を収容する空間部を設けたことを特徴とする現像装置。
【請求項４】
請求項１〜請求項３の何れか１項に記載の現像装置において、上記の事前規制部よりも現像剤担持体の回転方向上流側の位置に、現像剤担持体によって事前規制部の位置に搬送される現像剤の量を規制する第２の事前規制部を設けたことを特徴とする現像装置。
【請求項５】
請求項１〜請求項４の何れか１項に記載の現像装置において、上記の現像剤担持体の外周面に、現像剤担持体の回転方向と交差する方向に溝が形成されていることを特徴とする現像装置。
【請求項６】
像担持体に形成された静電潜像を請求項１〜請求項５の何れか１項に記載の現像装置によって現像することを特徴とする画像形成装置。
【発明の詳細な説明】
【技術分野】
【０００１】
本発明は、複写機，ファクシミリ及びこれらの複合機などの画像形成装置及びこのような画像形成装置において、トナーとキャリアを含む現像剤を用いて像担持体に形成された静電潜像を現像する現像装置に関するものである。特に、複数の磁極を有するマグネット部材が内周側に設けられた現像剤担持体の外周面にトナーとキャリアを含む現像剤を保持させ、この現像剤担持体を回転させて、現像剤担持体の外周面に保持された現像剤を像担持体と対向する位置に搬送させる途中において、規制部材により像担持体と対向する位置に搬送される現像剤の量を規制するにあたり、比較的少ない量の現像剤を長期にわたって安定して搬送できるようにすると共に、現像剤に大きな負荷が加わるのを抑制するようにした点に特徴を有するものである。
【背景技術】
【０００２】
従来から、複写機，ファクシミリ及びこれらの複合機などの画像形成装置においては、感光体等の像担持体に形成された静電潜像に現像装置からトナーを供給して、像担持体に形成された静電潜像を現像するようにしている。
【０００３】
そして、このような現像装置としては、トナーとキャリアを含む現像剤を使用した２成分現像方式のものと、キャリアを使用せずにトナーのみを使用した１成分現像方式のものとが知られている。
【０００４】
ここで、トナーとキャリアを含む現像剤を使用した２成分現像方式の現像装置においては、一般に、複数の磁極を有するマグネット部材が内周側に設けられた現像剤担持体の外周面にトナーとキャリアを含む現像剤を保持させ、この現像剤担持体を回転させて、現像剤担持体の外周面に保持された現像剤を像担持体と対向する位置に搬送させると共に、このように搬送される現像剤の量を規制部材により規制し、現像剤担持体によって所定量の現像剤を像担持体と対向する現像領域に導き、この現像剤中におけるトナーを像担持体に形成された静電潜像に供給して現像を行うようにしている。
【０００５】
ここで、このようにトナーとキャリアを含む現像剤を回転する現像剤担持体の外周面に保持させて搬送させるにあたり、現像剤担持体の外周面に十分な量の現像剤が保持されて搬送されるようにするため、従来から、現像剤担持体の外周面にブラスト加工や溝加工を施して、現像剤担持体の外周面に凹凸を形成することが広く行われている。
【０００６】
ここで、現像剤担持体の外周面にブラスト加工を施して、現像剤担持体の外周面に凹凸を形成するようにした場合、この凹凸量が小さいと、十分な量の現像剤を搬送させることができなくなる一方、この凹凸量を大きくする場合、ブラスト加工時に現像剤担持体が変形したりするおそれがあり、さらにこのようにブラスト加工により現像剤担持体の外周面に凹凸を形成した場合、この凹凸が現像剤により次第に削られて、現像剤を搬送させる能力が次第に低下するという問題があった。
【０００７】
また、現像剤担持体の外周面に溝加工を施して、現像剤担持体の外周面に凹凸を形成するようにした場合、ブラスト加工によって現像剤担持体の外周面に凹凸を形成したものに比べて、一般に、現像剤を搬送させる能力が高くなると共に、凹凸が現像剤により次第に削られて現像剤を搬送させる能力が次第に低下するということも少なくなる。
【０００８】
しかし、このように現像剤担持体の外周面に溝加工を施して凹凸を形成した場合、溝のピッチ等に応じて、画像に濃淡むら等の異常画像が生じるという問題があった。
【０００９】
このため、近年においては、特許文献１に示されるように、現像剤担持体の外周面に、その軸方向に対して傾斜した溝を交差するように加工し、現像剤担持体の外周面にアヤメ状になった溝を形成すると共に、この現像剤担持体の外周面を粗面化処理して、アヤメ状の溝に囲まれた部分に凹みをランダムに設けた現像剤担持体を使用するようにしたものが提案されている。
【００１０】
しかし、このように外周面にアヤメ状の溝を設けると共にこのアヤメ状の溝に囲まれた部分に凹みをランダムに設けた現像剤担持体を使用した場合、この現像剤担持体の外周面に保持されて搬送される現像剤の量が多くなり、上記のように現像剤担持体の外周面に保持されて搬送される現像剤の量を規制部材により規制する場合、現像剤に大きな負荷が加わるという問題があった。特に、近年においては、現像剤担持体の外周面に保持されて像担持体と対向する位置に搬送される現像剤の量を少なくして、高画質の画像を得ることが行われており、この場合、現像剤に加わる負荷がさらに大きくなるという問題があった。
【先行技術文献】
【特許文献】
【００１１】
【特許文献１】特開２００９−４７８２１号公報
【発明の開示】
【発明が解決しようとする課題】
【００１２】
本発明は、複数の磁極を有するマグネット部材が内周側に設けられた現像剤担持体の外周面にトナーとキャリアを含む現像剤を保持させ、この現像剤担持体を回転させて、現像剤担持体の外周面に保持された現像剤を像担持体と対向する位置に搬送させる途中において、規制部材により像担持体と対向する位置に搬送される現像剤の量を規制するようにした現像装置における上記のような問題を解決することを課題とするものである。
【００１３】
すなわち、本発明においては、上記のような現像装置において、比較的少ない量の現像剤を長期にわたって安定して搬送できるようにすると共に、現像剤に大きな負荷が加わるのを抑制することを課題とするものである。
【課題を解決するための手段】
【００１４】
本発明の現像装置においては、上記のような課題を解決するため、複数の磁極を有するマグネット部材が内周側に設けられた現像剤担持体の外周面にトナーとキャリアを含む現像剤を保持させ、この現像剤担持体を回転させて、現像剤担持体の外周面に保持された現像剤を像担持体と対向する位置に搬送させる途中に、この現像剤担持体によって像担持体と対向する位置に搬送される現像剤の量を規制する規制部材が設けられてなる現像装置において、上記の現像剤担持体として、その外周面が粗面化されると共に外周面に複数の溝が形成された現像剤担持体を用いると共に、上記の規制部材よりも現像剤担持体の回転方向上流側の位置に、現像剤担持体によって規制部材の位置に搬送される現像剤の量を規制する事前規制部を設けた。
【００１５】
このため、本発明の現像装置においては、トナーとキャリアを含む現像剤を回転する現像剤担持体の外周面に保持して像担持体と対向する位置に導く場合、この現像剤担持体の外周面に保持されて搬送される現像剤が事前規制部において規制され、その後、この現像剤担持体の外周面に保持されて搬送される現像剤が規制部材の位置に導かれて規制されるようになる。このため、上記のように外周面が粗面化されると共に外周面に複数の溝が形成された現像剤担持体を用い、この現像剤担持体によって搬送される現像剤の量が多くなっても、現像剤担持体の外周面に保持されて搬送される現像剤が事前規制部と規制部材とによって段階的に規制されるようになり、多くの量の現像剤を規制部材だけで規制させる場合に比べて、現像剤に加わる負荷が軽減されるようになる。
【００１６】
ここで、上記のように現像剤担持体の外周面に保持されて搬送される現像剤を事前規制部によって規制する場合に、この現像剤に加わる負荷を軽減させるためには、上記の規制部材が対向するマグネット部材の磁極よりも現像剤担持体の回転方向上流側の離れた位置において、現像剤担持体の外周面との間隔が規制部材よりも大きくなるようにして事前規制部を設けることが好ましい。
【００１７】
また、上記の事前規制部と規制部材との間に現像剤を収容する空間部を設け、事前規制部において規制された後、この現像剤担持体の外周面に保持されて規制部材の位置に導かれる現像剤に圧力が加わるのを抑制すると共に、この空間部において現像剤が現像剤担持体の外周面に均一に保持されるようにすることが好ましい。
【００１８】
さらに、上記の事前規制部よりも現像剤担持体の回転方向上流側の位置に、現像剤担持体によって事前規制部の位置に搬送される現像剤の量を規制する第２の事前規制部を設け、現像剤担持体の外周面に保持されて搬送される現像剤が、さらに第２の事前規制部によっても規制されて、現像剤に加わる負荷がさらに軽減されるようにすることが好ましい。
【００１９】
また、上記の現像剤担持体の外周面に複数の溝を形成するにあたっては、この現像剤担持体における現像剤の搬送能力を高めるため、現像剤担持体の回転方向と交差する方向に溝を形成することが好ましい。
【００２０】
そして、本発明の画像形成装置においては、像担持体に形成された静電潜像を上記のような現像装置によって現像するようにした。
【発明の効果】
【００２１】
本発明に係る現像装置においては、上記のようにトナーとキャリアを含む現像剤を回転する現像剤担持体の外周面に保持させて像担持体と対向する位置に導く場合、この現像剤担持体の外周面に保持されて搬送される現像剤が、先ず事前規制部において規制された後、規制部材の位置に導かれて規制されるようになり、外周面が粗面化されると共に外周面に複数の溝が形成された現像剤担持体によって搬送される現像剤の量が多くなっても、現像剤担持体の外周面に保持されて搬送される現像剤が事前規制部と規制部材とによって段階的に規制されるようになり、多くの量の現像剤を規制部材だけで規制させる場合に比べて、現像剤に加わる負荷が軽減される。
【００２２】
この結果、本発明に係る現像装置においては、上記のような現像剤の搬送能力が高い現像剤担持体によって搬送される現像剤を適当量に規制して像担持体と対向する位置に搬送させ、像担持体に形成された静電潜像を現像する場合に、現像剤に加わる負荷が軽減されて、現像剤が劣化するのが防止されるようになる。特に、上記の現像装置を用い、現像剤担持体の外周面に保持されて像担持体と対向する位置に搬送される現像剤の量を少なくして、高画質の画像形成を行う場合においても、現像剤に加わる負荷が大きく軽減されて、現像剤が劣化するのが長期にわたって防止され、高画質の画像形成が長期にわたって安定して行えるようになる。
【図面の簡単な説明】
【００２３】
【図１】本発明の実施形態に係る現像装置を用いた画像形成装置において、画像形成を行う状態を示した概略説明図である。
【図２】上記の実施形態に係る現像装置に使用する現像剤担持体において、その外周面に形成する溝の一例を示した概略説明図である。
【図３】上記の実施形態に係る現像装置に使用する現像剤担持体において、その外周面に形成する溝の他の例を示した概略説明図である。
【図４】上記の実施形態に係る現像装置において、第２の事前規制部を設けた変更形態を示した概略説明図である。
【図５】本発明の実施例及び比較例において使用する現像剤担持体の外周面に形成された溝の断面状態を示した部分説明図である。
【図６】本発明の実施例及び比較例の現像装置において、現像剤担持体の外周面と規制部材との間の規制ギャップＤｂと、像担持体と対向する現像領域に搬送される現像剤量との関係を示した図である。
【発明を実施するための最良の形態】
【００２４】
次に、この発明の実施形態に係る現像装置及びこの現像装置を用いた画像形成装置を添付図面に基づいて具体的に説明する。なお、本発明に係る現像装置及び画像形成装置は、下記の実施形態に示したものに限定されず、その要旨を変更しない範囲において適宜変更して実施できるものである。
【００２５】
この実施形態に係る画像形成装置においては、図１に示すように、回転する感光体ドラムからなる像担持体１０の表面を帯電装置１１によって帯電させた後、この像担持体１０の表面にレーザ等を用いた潜像形成装置１２により画像情報に応じた露光を行い、この像担持体１０の表面に静電潜像を形成するようにしている。
【００２６】
そして、トナーとキャリアとを含む現像剤Ｄを収容させた現像装置２０により現像剤Ｄ中のトナーを、上記の像担持体１０の表面に形成された静電潜像の部分に供給して、像担持体１０の表面に静電潜像に対応したトナー像を形成するようにしている。
【００２７】
次いで、このように像担持体１０の表面に形成されたトナー像を、ローラ状になった転写装置１３と対向する位置に導くと共に、記録シート等の転写材１４を上記の像担持体１０と転写装置１３との間に導き、像担持体１の表面に形成されたトナー像を、上記の転写装置１３によって転写材１４に転写させるようにしている。
【００２８】
そして、転写後における像担持体１０の表面に残留しているトナーを、クリーニング装置１５によって像担持体１０の表面から除去して回収するようにしている。
【００２９】
ここで、上記の現像装置２０においては、上記の像担持体１０と対向する開口部分に、像担持体１０と対向するようにして、円筒状になった現像剤担持体２１を回転可能に設けると共に、この現像剤担持体２１の内周側に複数の磁極Ｎ，Ｓ，…を有するマグネット部材２２を設けている。
【００３０】
また、この現像装置２０においては、その内部に現像剤担持体２１の軸方向に沿った隔壁２３を設け、この隔壁２３により現像剤担持体２１の軸方向に沿った第１現像剤搬送部２４と第２現像剤搬送部２５とに分離させると共に、第１現像剤搬送部２４と第２現像剤搬送部２５に、それぞれ現像剤Ｄを混合攪拌させながら搬送させる第１攪拌搬送部材２４ａと第２攪拌搬送部材２５ａを設けている。
【００３１】
そして、上記の第１及び第２の攪拌搬送部材２４ａ，２５ａを回転させて、現像剤Ｄを第１と第２の現像剤搬送部２４，２５内において逆方向に搬送させ、上記の隔壁２３の両側の端部における循環口（図示せず）を通して、現像剤Ｄを上記の第１現像剤搬送部２４と第２現像剤搬送部２５との間で循環させると共に、第１現像剤搬送部２４における現像剤Ｄを上記の第１攪拌搬送部材２４ａにより現像剤担持体２１の外周面に供給し、このように供給された現像剤Ｄを現像剤担持体２１の内周側に設けられたマグネット部材２２による磁力により現像剤担持体２１の外周面に保持させるようにしている。
【００３２】
また、上記の現像剤担持体２１を回転させて、その外周面に保持された現像剤Ｄを現像剤担持体２１によって像担持体１０と対向する現像領域に向けて搬送させると共に、現像領域に搬送させる途中に、この現像剤担持体２１と所要間隔を介して対向するように規制部材２６を設け、この規制部材２６により現像領域に搬送される現像剤Ｄの量を規制し、このように規制された現像剤Ｄを、現像剤担持体２１により像担持体１０と対向する現像領域に導いて現像を行うようにしている。
【００３３】
ここで、この実施形態の現像装置２０においては、上記の現像剤担持体２１として、アルミニウム等で構成された現像剤担持体２１の外周面を、シリコンビーズ等の粒径が小さい砥粒を用いてブラスト処理して粗面化させると共に、図２に示すように、現像剤担持体２１の回転方向と直交する現像剤担持体２１の軸方向に伸びた溝２１ａを、その外周面に周方向に所要間隔を介して多数設けたものを用いるようにしている。なお、現像剤担持体２１の外周面に設ける溝２１ａはこのようなものに限定されず、例えば、図３に示すように、現像剤担持体２１の軸方向に対して傾斜した溝２１ａを交差するようにして多数加工し、現像剤担持体２１の外周面にアヤメ状になった溝２１ａを設けるようにすることもできる。
【００３４】
そして、この現像剤担持体２１の外周面に上記のように現像剤Ｄを供給して搬送させるようにした場合、粗面化されると共に軸方向に伸びた多数の溝２１ａが形成された現像剤担持体２１の外周面に現像剤Ｄが十分に保持されるようになり、多くの量の現像剤Ｄが現像剤担持体２１の外周面に適切に保持されて搬送されるようになる。
【００３５】
また、この実施形態の現像装置２０においては、上記の規制部材２６が対向するマグネット部材２２の磁極Ｓの位置よりも現像剤担持体２１の回転方向上流側の離れた位置において、現像剤担持体２１によって規制部材２６の位置に搬送される現像剤Ｄの量を予め規制する事前規制部２７を現像剤担持体２１に向けて突出させ、この事前規制部２７と現像剤担持体２１の外周面との間隔が、規制部材２６と現像剤担持体２１の外周面との間隔よりも大きくなるようにすると共に、この事前規制部２７と規制部材２６との間に現像剤Ｄを収容する空間部Ｐを設けている。
【００３６】
そして、この実施形態の現像装置２０のように、規制部材２６よりも現像剤担持体２１の回転方向上流側の離れた位置に事前規制部２７を設けると、上記のように現像剤担持体２１の外周面に現像剤Ｄを保持させて像担持体１０と対向する現像領域に搬送させる場合、現像剤担持体２１の外周面に保持されて搬送される現像剤Ｄが、規制部材２６によって規制される前に上記の事前規制部２７によって規制され、その後、上記の規制部材２６の位置に導かれて規制されるようになる。このため、上記のように現像剤担持体２１の外周面に保持されて搬送される現像剤Ｄの量が多くなっても、現像剤担持体２１の外周面に保持されて搬送される現像剤Ｄが段階的に規制され、搬送される現像剤Ｄを規制部材２６だけで規制する場合に比べて、現像剤Ｄに加わる負荷が軽減され、現像剤Ｄが劣化するのが抑制される。
【００３７】
また、上記のように事前規制部２７と規制部材２６との間に現像剤Ｄを収容する空間部Ｐを設けると、現像剤担持体２１の外周面に保持されて規制部材２６に導かれる現像剤Ｄにおける圧力が軽減されると共に、規制部材２６により規制されて現像剤担持体２１の外周面から離脱された現像剤Ｄがこの空間部Ｐに導かれるようになり、現像剤Ｄが現像剤担持体２１の外周面と規制部材２６との間で詰まったりするのが防止され、さらに空間部Ｐにおける現像剤Ｄによって現像剤担持体２１の外周面における現像剤量のむらも抑制される。
【００３８】
この結果、上記の実施形態における現像装置２０を使用すると、現像剤Ｄの搬送能力が高い上記のような現像剤担持体２１によって搬送される現像剤Ｄの量が多くなっても、現像剤Ｄに大きな負荷が加わることなく、搬送される現像剤Ｄを適当に規制して像担持体１０と対向する位置に導くことができるようになり、現像剤担持体２１の外周面に保持させて像担持体１０と対向する位置に搬送させる現像剤Ｄの量を少なくして、高画質の画像形成を行う場合においても、現像剤Ｄに加わる負荷が大きく軽減されて、現像剤Ｄが劣化するのが長期にわたって防止され、高画質の画像形成が長期にわたって安定して行えるようになる。
【００３９】
また、上記の実施形態の現像装置２０においては、現像剤担持体２１の外周面に保持されて搬送される現像剤Ｄが規制部材２６に導かれる前に、この現像剤担持体２１によって搬送される現像剤Ｄを規制する事前規制部２７を１つ設けただけであるが、図４に示す変更形態のように、事前規制部２７よりも現像剤担持体２１の回転方向上流側の位置において、第２の事前規制部２８を現像剤担持体２１に向けて突出させ、この第２の事前規制部２８により、現像剤担持体２１の外周面に保持されて事前規制部２７の位置に導かれる現像剤Ｄの量を規制させるようにすることができる。
【００４０】
そして、この変更形態の現像装置２０においては、上記のように現像剤担持体２１の外周面に現像剤Ｄを保持させて像担持体１０と対向する現像領域に搬送させる場合、現像剤担持体２１の外周面に保持されて搬送される現像剤Ｄが、規制部材２６によって規制される前に、上記の第２の事前規制部２８によって規制された後、さらに上記の事前規制部２７によって規制され、その後、上記の規制部材２６に導かれて規制されるようになる。このため、上記のように現像剤担持体２１の外周面に保持されて搬送される現像剤Ｄの量が多くなっても、現像剤担持体２１の外周面に保持されて搬送される現像剤Ｄがさらに段階的に規制されるようになり、搬送される現像剤Ｄに加わる負荷がさらに軽減されて、現像剤Ｄが劣化するのが一層抑制されるようになる。
【００４１】
次に、上記の図４に示す変更形態の現像装置のように、規制部材よりも現像剤担持体の回転方向上流側の位置に事前規制部を設け、さらに事前規制部よりも現像剤担持体の回転方向上流側の位置に第２の事前規制部を設けた実施例の現像装置と、上記の事前規制部及び第２の事前規制部を設けていない比較例の現像装置とにおいて、それぞれ外周面がブラスト処理されて粗面化されると共に、上記の図２に示すようにその外周面に現像剤担持体の軸方向に伸びた溝が多数形成された現像剤担持体を用いるようにした。
【００４２】
ここで、上記の現像剤担持体としては、その外径が１６ｍｍであり、その外周面の十点平均粗さＲｚが５μｍ、その外周面における溝が、図５に示すように溝深さｈが７５μｍ、溝角度θが１００°で現像剤担持体の周方向に等間隔で４０本設けられたものを用いるようにした。
【００４３】
また、上記の実施例の現像装置においては、現像剤担持体の外周面と事前規制部との間隔を２．４ｍｍ、現像剤担持体の外周面と第２の事前規制部との間隔を３ｍｍにした。
【００４４】
また、現像剤としては、平均粒径が２０〜５０μｍの範囲にある磁性キャリアを含むものを用いるようにした。
【００４５】
そして、上記の実施例及び比較例の現像装置において、それぞれ現像剤担持体の外周面と規制部材との間の規制ギャップＤｂを変化させた場合に、像担持体と対向する現像領域に搬送される現像剤量がどのように変化するかを調べる実験を行い、実施例の現像装置における結果を実線で、比較例の現像装置における結果を破線で図５に示した。
【００４６】
この結果、上記のように事前規制部と第２の事前規制部とを設けた実施例の現像装置は、比較例の現像装置に比べて、現像剤担持体の外周面と規制部材との間の規制ギャップＤｂの変化に伴う現像剤量の変化が少なくなり、規制ギャップＤｂが変化した場合においても、像担持体と対向する現像領域に一定した量の現像剤が安定して搬送されるようになることが分かる。
【００４７】
また、実施例の現像装置と比較例の現像装置とにおいて、像担持体と対向する現像領域に同じ量の現像剤を搬送させる場合、実施例の現像装置の方が、現像剤担持体の外周面と規制部材との間の規制ギャップＤｂを大きくすることができ、現像剤に加わる負荷も低減されることが分かる。
【符号の説明】
【００４８】
１０  像担持体
１１  帯電装置
１２  潜像形成装置
１３  転写装置
１４  転写材
１５  クリーニング装置
２０  現像装置
２１  現像剤担持体，  ２１ａ  溝
２２  マグネット部材
２３  隔壁
２４  第１現像剤搬送部，  ２４ａ  第１攪拌搬送部材
２５  第２現像剤搬送部，  ２５ａ  第２攪拌搬送部材
２６  規制部材
２７  事前規制部
２８  第２の事前規制部
Ｄ  現像剤
Ｐ  空間部
【図１】
2013057835.tif 000003
【図２】
2013057835.tif 000004
【図３】
2013057835.tif 000005
【図４】
2013057835.tif 000006
【図５】
2013057835.tif 000007
【図６】
2013057835.tif 000008